(57)【要約】【課題】ティッシュペーパーの枚数が少なくなった場合でも簡易な構成で使いやすく簡単便利に取り出せるためのボックスティッシュ用部材及びそれを用いたボックスティッシュを提供する。【解決手段】ボックスティッシュ用板状部材１０は、板状に形成された本体部１１と中央部分に形成された開口である開口部１２を有している。ボックスティッシュ用板状部材１０は、ボックスティッシュ２０の内部Ｎに収納されたティッシュペーパー２４に載置され、ティッシュペーパー２４が、開口部１２を介して取り出し口２５から順次取り出せるように構成されており、ティッシュペーパー２４が残り少ない場合でも、開口部１２を介して取り出し口２５からティッシュペーパー２４を順次取り出すことができる。【選択図】図１
0003208754.tif 000002
【実用新案登録請求の範囲】
【請求項１】
上面、４面からなる側面、底面、内部に収納されているティッシュペーパー及び前記上面に設けられ前記ティッシュペーパーを取り出す取り出し口を有するボックスティッシュに用いるボックスティッシュ用板状部材であって、
板状に形成された本体部と中央部分に形成された開口である開口部を有し、
前記ティッシュペーパーに載置されることで、前記ティッシュペーパーが前記開口部を介して前記取り出し口から順次取り出せるように構成されていることを特徴とするボックスティッシュ用板状部材。
【請求項２】
上面、４面からなる側面、底面、内部に収納されているティッシュペーパー及び前記上面に設けられ前記ティッシュペーパーを取り出す取り出し口を有するボックスティッシュであって、
請求項１に記載のボックスティッシュ用板状部材が、前記取り出し口を介して前記ティッシュペーパーに載置されるように構成されていることを特徴とするボックスティッシュ。
【請求項３】
上面、４面からなる側面、底面、内部に収納されているティッシュペーパー及び前記上面に設けられ前記ティッシュペーパーを取り出す取り出し口を有するボックスティッシュであって、
前記上面または前記側面の所定の部分に切れ目が設けられ、請求項１に記載のボックスティッシュ用板状部材が、前記切れ目を介して前記ティッシュペーパーに載置されるように構成されていることを特徴とするボックスティッシュ。
【請求項４】
上面、４面からなる側面、底面、内部に収納されているティッシュペーパー及び前記上面に設けられ前記ティッシュペーパーを取り出す取り出し口を有するボックスティッシュであって、
前記上面または前記側面の所定の部分にミシン目が設けられ、請求項１に記載のボックスティッシュ用板状部材が、切り離された前記ミシン目を介して前記ティッシュペーパーに載置されるように構成されていることを特徴とするボックスティッシュ。
【考案の詳細な説明】
【技術分野】
【０００１】
本考案は、ボックスティッシュ用板状部材及びボックスティッシュに関する。
【背景技術】
【０００２】
ボックスティッシュは、一般に２枚組で、３０×１３×６ｃｍほどの大きさの箱に４００枚のティッシュペーパー２００組が入っているものである。ボックスティッシュの使用において、ティッシュペーパーの残りの枚数が少なくなると取り出しにくくなるということが知られている（特許文献参照）。
【先行技術文献】
【特許文献】
【０００３】
【特許文献１】特開平０７−３１５４５９号公報
【考案の概要】
【考案が解決しようとする課題】
【０００４】
上記のとおりボックスティッシュは、ティッシュペーパーの残りの枚数が少なくなると取り出しにくくなるため、底部を押し上げるためのミシン目が入っているものもあるが、より簡易な構成でティッシュペーパーの少ない残り枚数を取り出すことができるものが求められている。
【０００５】
本考案は、こうした点に鑑みてなされたものであり、ティッシュペーパーの枚数が少なくなった場合でも簡易な構成で使いやすく簡単便利に取り出せるためのボックスティッシュ用部材及びそれを用いたボックスティッシュを提供する。
【課題を解決するための手段】
【０００６】
上記課題を解決するために、本考案に係るボックスティッシュ用板状部材は、上面、４面からなる側面、底面、内部に収納されているティッシュペーパー及び前記上面に設けられ前記ティッシュペーパーを取り出す取り出し口を有するボックスティッシュに用いるボックスティッシュ用板状部材であって、板状に形成された本体部と中央部分に形成された開口である開口部を有し、前記ティッシュペーパーに載置されることで、前記ティッシュペーパーが、前記開口部を介して前記取り出し口から順次取り出せるように構成されていることを特徴とする。
【０００７】
上記課題を解決するために、本考案に係るボックスティッシュは、上面、４面からなる側面、底面、内部に収容されているティッシュペーパー及び前記上面に設けられ前記ティッシュペーパーを取り出す取り出し口を有するボックスティッシュであって、上記のボックスティッシュ用板状部材が、前記取り出し口を介して前記ティッシュペーパーに載置されるように構成されていることを特徴とする。
【０００８】
上記課題を解決するために、本考案に係るボックスティッシュは、上面、４面からなる側面、底面、内部に収納されているティッシュペーパー及び前記上面に設けられ前記ティッシュペーパーを取り出す取り出し口を有するボックスティッシュであって、前記上面または前記側面の所定の部分に切れ目が設けられ、上記のボックスティッシュ用板状部材が、前記切れ目を介して前記ティッシュペーパーに載置されるように構成されていることを特徴とする。
【０００９】
上記課題を解決するために、本考案に係るボックスティッシュは、上面、４面からなる側面、底面、内部に収納されているティッシュペーパー及び前記上面に設けられ前記ティッシュペーパーを取り出す取り出し口を有するボックスティッシュであって、前記上面または前記側面の所定の部分にミシン目が設けられ、上記のボックスティッシュ用板状部材が、切り離された前記ミシン目を介して前記ティッシュペーパーに載置されるように構成されていることを特徴とする。
【考案の効果】
【００１０】
本考案によれば、ティッシュペーパーの枚数が少なくなった場合でも簡易な構成で使いやすく簡単便利に取り出せるためのボックスティッシュ用部材及びそれを用いたボックスティッシュの提供ができる。
【図面の簡単な説明】
【００１１】
【図１】実施形態のボックスティッシュ用板状部材及びボックスティッシュを示す模式図である。
【図２】実施形態の他の例を示すボックスティッシュの模式図である。
【考案を実施するための形態】
【００１２】
以下、本考案のボックスティッシュ用板状部材及びボックスティッシュの実施形態を、図１及び図２を用いて説明する。
【００１３】
図１(ａ)は、実施形態のボックスティッシュ用板状部材１０の模式図である、ボックスティッシュ用板状部材１０は、板状に形成された本体部１１と中央部分に形成された開口である開口部１２を有しており、ボックスティッシュ２０に用いられるように構成されている。
【００１４】
図１（ｂ）はボックスティッシュ２０にボックスティッシュ用板状部材１０が使用されている一例を示す模式図である。ボックスティッシュ２０は、上面２１、４面からなる側面２２、底面２３、内部Ｎに収納されているティッシュペーパー２４及び上面２１に設けられティッシュペーパー２４を取り出す取り出し口２５を有している。
【００１５】
図１（ｂ）に示すように、ボックスティッシュ用板状部材１０は、ティッシュペーパー２４の内部Ｎに載置されるように形成されており、ティッシュペーパー２４が、開口部１２を介して取り出し口２５から順次取り出せるように構成されている。
【００１６】
すなわち、ティッシュペーパー２４の上にボックスティッシュ用板状部材１０が載置されていることにより、例えば、ティッシュペーパー２４の残りが少なくなり、取り出し口２５からの取出しが困難になった場合においても、ボックスティッシュ用板状部材１０が残り少ないティッシュペーパー２４に上に載置されていることにより、開口部１２を介して取り出し口２５からこの残り少ないティッシュペーパー２４を順次取り出すことができる。
【００１７】
また、実施形態において、図１（ｂ）に示すボックスティッシュ２０は、ボックスティッシュ用板状部材１０が、取り出し口２５を介してティッシュペーパー２４に載置される構成である。
【００１８】
すなわち、ボックスティッシュ用板状部材１０は、取り出し口２５を介して、つまり取り出し口２５から内部Ｎに挿入されるように形成されており、このようにすることでボックスティッシュ用板状部材１０を簡単にボックスティッシュ２０の内部Ｎに収納されているティッシュペーパー２４の上に載置することができる。
【００１９】
図２（ａ）は、図１（ｂ）と同様な上面２１、４面からなる側面２２、底面２３、内部Ｎに収納されているティッシュペーパー２４及び上面２１に設けられティッシュペーパー２４を取り出す取り出し口２５を有するボックスティッシュ２０Ａを示している。
【００２０】
ボックスティッシュ２０Ａは、上面２１の所定の部分に切れ目Ｋが設けられており、ボックスティッシュ用板状部材１０が、切れ目Ｋを介して、つまり切れ目Ｋから内部Ｎに挿入され、ティッシュペーパー２４に載置されるように構成されている。このようにすることでボックスティッシュ用板状部材１０は、簡単にボックスティッシュ２０の内部Ｎに収納されているティッシュペーパー２４の上に載置することができ、より大きなものにすることができる。なお、この例では、切れ目Ｋは、上面２１の所定の部分に設けられているが、側面２２の所定の部分に設けてもよい。
【００２１】
また、図２（ｂ）は、図１（ｂ）と同様な上面２１、４面からなる側面２２、底面２３、内部Ｎに収納されているティッシュペーパー２４及び上面２１に設けられティッシュペーパー２４を取り出す取り出し口２５を有するボックスティッシュ２０Ｂを示している。
【００２２】
ボックスティッシュ２０Ｂは、側面２２の所定の部分にミシン目Ｍが設けられ、上記のボックスティッシュ用板状部材１０が、切り離されたミシン目Ｍを介して、つまり切り離されたミシン目Ｍから内部Ｎに挿入され、ティッシュペーパー２４に載置されるように構成されている。このようにすることでボックスティッシュ用板状部材１０は、簡単にボックスティッシュ２０の内部Ｎに収納されているティッシュペーパー２４の上に載置することができ、またより大きなものにすることができる。なお、この例では、ミシン目Ｍは、上面２１の所定の部分に設けられているが、側面２２の所定の部分に設けてもよい。
【００２３】
実施形態のボックスティッシュ用板状部材１０は、上記の例のとおり、ボックスティッシュ２０，２０Ａ及び２０Ｂに簡易に載置することができ、ティッシュペーパー２４の枚数が少なくなった場合でも、ティッシュペーパー２４を簡単便利に順次取り出すことができるように構成されている。また、ボックスティッシュ用板状部材１０は、檜などの木材、樹脂などを用いて形成することができ、必要に応じ香を含ませるものであってもよい。
【００２４】
以上、本考案の有する特徴及び優れた点を上記実施形態に記載したが、本考案は、本願の実用新案登録請求の範囲で使用されている言葉を広く一般的な意味に拡張して実施することができる。
【００２５】
また、ボックスティッシュ用板状部材及びそれを用いるボックスティッシュは、大きさや形状、素材の種類、厚さ、重さなどについては多様な実施形態が可能であり、それらについて本実施形態と異なる形態による実施は、本考案の技術的範囲に含まれる。
【符号の説明】
【００２６】
１０    ボックスティッシュ用板状部材
１１    本体部
１２    開口部
２０    ボックスティッシュ
２０Ａ  ボックスティッシュ
２０Ｂ  ボックスティッシュ
２１    上面
２２    側面
２３    底面
２４    ティッシュペーパー
２５    取り出し口
Ｎ      内部
Ｋ      切れ目
Ｍ      ミシン目
【図１】
0003208754.tif 000003
【図２】
0003208754.tif 000004